(57)【要約】【課題】洋風便器本体を使用する者が快適に利用可能な洋風水洗式便器を提供する。【解決手段】洗浄水により洗浄される洋風便器本体１と、洋風便器本体１の背後に設けられ、洗浄水を貯留する洗浄タンク４が収納されるタンクカバー５とを備えた洋風水洗式便器において、タンクカバー５内に、音声データを記憶可能な外部記憶装置６と、外部記憶装置に記憶された音声データを出力可能なスピーカ７と、少なくとも外部記憶装置６及びスピーカ７を制御する制御装置８とを設ける。【選択図】図１
2006233755.tif 000002
【特許請求の範囲】
【請求項１】
洗浄水により洗浄される洋風便器本体と、該洋風便器本体の背後に設けられ、該洗浄水を貯留する洗浄タンクが収納されるタンクカバーとを備えた洋風水洗式便器において、
前記タンクカバー内には、音声データを記憶可能な外部記憶装置と、該外部記憶装置に記憶された該音声データを出力可能なスピーカと、少なくとも該外部記憶装置及び該スピーカを制御する制御装置とが設けられていることを特徴とする洋風水洗式便器。
【請求項２】
スピーカはタンクカバーの左右に設けられていることを特徴とする請求項１記載の洋風水洗式便器。
【請求項３】
スピーカはタンクカバーの左右に向かって発音可能に設けられていることを特徴とする請求項２記載の洋風水洗式便器。
【請求項４】
洋風便器本体を使用する者の局部を洗浄可能な局部洗浄装置と、少なくとも該局部洗浄装置を遠隔操作可能なリモコンとを備え、該リモコンには、閉鎖時に該局部洗浄装置を操作可能であり、開放時にスピーカによる音量を操作可能な開閉蓋が設けられていることを特徴とする請求項１乃至３のいずれか１項記載の洋風水洗式便器。
【発明の詳細な説明】
【技術分野】
【０００１】
本発明は洋風水洗式便器に関する。
【背景技術】
【０００２】
従来、洗浄水により洗浄される洋風便器本体と、洋風便器本体の背後に設けられ、洗浄水を貯留する洗浄タンクが収納されるタンクカバーとを備えた洋風水洗式便器が知られている。近年、洋風便器本体を快適に使用したいとの要求が高まっており、この要求に答えるべく、洋風便器本体を使用する者の局部を洗浄可能な局部洗浄装置を備えた洋風水洗式便器も製造されている。特に、その局部洗浄装置として、楽器、自然、人等の音声をスピーカより出力可能な音声発生装置をもつものも開発されつつある（特許３１６３７３６号公報）。
【０００３】
この音声発生装置をもつ局部洗浄装置を備えた洋風水洗式便器によれば、使用時の音をスピーカから出力される音声により紛らせることができるため、むやみに洗浄水を流す必要がなくなり、節水が可能になる。また、単調な擬音よりも優れた音声により、使用者の快適性をある程度満足させることができる。
【発明の開示】
【発明が解決しようとする課題】
【０００４】
しかし、上記洋風水洗式便器では、局部洗浄装置が洋風便器本体の後方上部に設置され、その局部洗浄装置の中にスピーカ等の音声発生装置が設けられていた。そのため、使用者が便蓋又は便蓋及び便座を上げると、スピーカがその便蓋等の後ろに常に隠れ、スピーカから出力される音声が便蓋等により遮られてしまう。そのため、それでは快適性に欠けていた。
【０００５】
本発明は、上記従来の実情に鑑みてなされたものであって、使用者がより快適に利用可能な洋風水洗式便器を提供することを解決すべき課題としている。
【課題を解決するための手段】
【０００６】
本発明の洋風水洗式便器は、洗浄水により洗浄される洋風便器本体と、該洋風便器本体の背後に設けられ、該洗浄水を貯留する洗浄タンクが収納されるタンクカバーとを備えた洋風水洗式便器において、前記タンクカバー内には、音声データを記憶可能な外部記憶装置と、該外部記憶装置に記憶された該音声データを出力可能なスピーカと、少なくとも該外部記憶装置及び該スピーカを制御する制御装置とが設けられていることを特徴とする。
【０００７】
本発明の洋風水洗式便器では、洗浄タンクを収納するために比較的容積が大きくされているタンクカバー内にスピーカを設けることとしていることから、その又はそれらのスピーカはそのタンクカバー内の比較的任意の位置に設けられ得る。そのため、使用者が便蓋又は便蓋及び便座を上げても、スピーカがその便蓋等の後ろに隠れないようにすることができる。そのため、スピーカから出力される音声が便蓋等により常に遮られることはなく、快適性を維持することができる。
【０００８】
また、この洋風水洗式便器では、タンクカバー内にスピーカのみならず、音声データを記憶可能な外部記憶装置や、少なくとも外部記憶装置及びスピーカを制御する制御装置も設けられている。この外部記憶装置に音声データを記憶可能であるため、使用者の趣向に合わせた音声データを記憶させることができる。そして、制御装置の制御により、外部記憶装置に記憶された音声データをスピーカから出力することができる。こうして、この洋風水洗式便器では、例えば使用時の音が紛らされるとともに、使用者の要求を満足させることができる。ここで、制御装置は、音声データを再生可能にする主記憶装置及び中央処理装置（ＣＰＵ）によって構成されている。
【０００９】
したがって、本発明の洋風水洗式便器によれば、使用者の趣向に合わせた音声データを提供することができるため、飽き難く、快適性に優れる。
【００１０】
スピーカはタンクカバーの左右に設けられていることが好ましく、特にタンクカバーの左右に向かって発音可能に設けられていることが好ましい。スピーカをタンクカバーの左右に設けることにより、使用者が便蓋等を上げても、スピーカがその便蓋等の後ろに確実に隠れない。そのため、確実に快適性を維持することができる。また、こうしてスピーカをタンクカバーの左右に設けることにより、立体感のある音声となり、臨場感に溢れる音声とすることができる。また、スピーカをタンクカバーの左右に向かって発音可能に設けることにより、音がトイレ室の壁に反響し、より臨場感に溢れるものとなる。
【００１１】
さらに、洋風水洗式便器が使用者の局部を洗浄可能な局部洗浄装置と、少なくとも局部洗浄装置を遠隔操作可能なリモコンとを備える場合、このリモコンには、閉鎖時に局部洗浄装置を操作可能であり、開放時にスピーカによる音量を操作可能な開閉蓋が設けられていることが好ましい。局部洗浄装置の遠隔操作は通常よく行われるため、開閉蓋の閉鎖時に操作可能であることが望ましく、スピーカによる音量の遠隔操作は通常あまり行われないため、開閉蓋の開放時に操作可能であることが望ましからである。
【発明を実施するための最良の形態】
【００１２】
以下、本発明を具体化した実施形態及び変形形態１〜３を図面を参照しつつ説明する。
【００１３】
（実施形態）
実施形態の洋風水洗式便器では、図１に示すように、洗浄水により洗浄される陶磁器製の洋風便器本体１の背後において、洗浄水を貯留する洗浄タンク４が収納されるタンクカバー５が設けられている。タンクカバー５の前部には、便座２及び便蓋３が洋風便器本体１上で揺動可能に設けられている。また、このタンクカバー５内には、音声データを記憶可能な外部記憶装置６と、外部記憶装置６に記憶された音声データを出力可能な２個のスピーカ７と、外部記憶装置６及びスピーカ７を制御する制御装置８等も設けられている。
【００１４】
また、この洋風水洗式便器は、洋風便器本体１を使用する者の局部を洗浄可能な局部洗浄装置９を備えている。一方、トイレ室の壁９０には、局部洗浄装置９、制御装置８等を遠隔操作可能なリモコン１０が設けられている。
【００１５】
スピーカ７は、図２に示すように、タンクカバー５の左右に設けられ、タンクカバー５の左右に向かって発音可能になっている。また、図３（Ａ）に示すように、タンクカバー５内で洗浄タンク４等が載置されるベースプレート１１上にスピーカ取付部１１ａが立設され、このスピーカ取付部１１ａに両スピーカ７が固定部材１３を用いて取り付けられている。
【００１６】
すなわち、スピーカ取付部１１ａの上部に凹設された半円状の嵌合溝１１ｂにスピーカ７のフランジ部７ａが嵌合されている。また、固定部材１３の内側に凹設された半円状の嵌合溝１３ａにそのスピーカ７のフランジ部７ａが嵌合され、固定板１３ｂがスピーカ取付部１１ａの固定穴１１ｃに嵌合されている。より詳細には、図４に示すように、スピーカ取付部１１ａの固定穴１１ｃは内部の凹部１１ｄに連通している一方、固定部材１３の両固定部１３ｂには外側に突出する爪１３ｃが形成されている。両爪１３ｃが固定穴１１ｃを経て凹部１１ｄに係合し、スピーカ７がスピーカ取付部１１ａに取り付けられている。こうして、固定部材１３をスピーカ取付部１１ａに固定することにより、図３（Ｂ）に示すように、スピーカ７がスピーカ取付部１１ａに取り付けられている。なお、スピーカ取付部１１ａは、ベースプレート１１の一部として、ベースプレート１１とともに一体成形されている。
【００１７】
また、リモコン１０は、図５に示すように、開閉蓋１０ａを閉鎖した場合、ダイヤル１０ｂ、スイッチ１０ｃ〜１０ｇにより局部洗浄装置９を操作することができる。また、図６に示すように、開閉蓋１０ａを開放した場合、ダイヤル１０ｂが開閉蓋１０ａの開放によりダイヤル１０ｈに変わる。このダイヤル１０ｈの隣にはスイッチ１０ｉ、１０ｊが設けられている。ダイヤル１０ｈを左右に回せば、スピーカ７による音量を操作可能である。スイッチ１０ｉをタッチすれば停止後に再プレイが行なわれ、スイッチ１０ｉを数秒間押圧し続ければ音声データのステップが行なわれる。スイッチ１０ｊをタッチすれば音声の出力が停止される。
【００１８】
以上のように構成された洋風水洗式便器では、洗浄タンク４を収納するために比較的容積が大きくされているタンクカバー５内の左右にスピーカ７が設けられている。そのため、使用者が便蓋３又は便蓋３及び便座２を上げても、スピーカ７がその便蓋３等の後ろに隠れることはない。そのため、両スピーカ７から出力される音声が便蓋３等により遮られることはなく、快適性を維持することができる。
【００１９】
また、この洋風水洗式便器では、タンクカバー５内にスピーカ７のみならず、音声データを記憶可能な外部記憶装置６や、少なくとも外部記憶装置６及びスピーカ７を制御する制御装置８も設けられている。この外部記憶装置６に音声データを記憶可能であるため、使用者の趣向に合わせた音声データを記憶させることができる。そして、制御装置８の制御により、外部記憶装置６に記憶された音声データを両スピーカ７から出力することができる。こうして、この洋風水洗式便器では、例えば使用時の音が紛らされ、使用者の要求を満足させることができる。
【００２０】
さらに、この洋風水洗式便器では、スピーカ７がタンクカバー５の左右に設けられているため、立体感のある音声となり、臨場感に溢れる音声となる。また、スピーカ７がタンクカバー５の左右に向かって発音可能に設けられているため、音がトイレ室の壁９０に反響し、より臨場感に溢れるものとなる。
【００２１】
また、この洋風水洗式便器では、リモコン１０の開閉蓋１０ａの閉鎖時において、通常よく行われる局部洗浄装置９の遠隔操作が可能である。一方、使用者が音量等を操作したい場合、リモコン１０の開閉蓋１０ａを開放し、それを行うことができる。
【００２２】
したがって、この洋風水洗式便器によれば、スピーカ７から出力される音声が便蓋３等により遮られることはなく、使用者の趣向に合わせた音声データを提供することができるため、飽き難く、快適性に優れる。
【００２３】
また、この洋風水洗式便器では、スピーカ７が固定部材１３を用いてベースプレート１１のスピーカ取付部１１ａに取り付けられるため、スピーカ７の固定が容易である上、組付けのばらつきが減少して品質が安定する。そのため、組付けコストの低減を図ることができるのみならず、安定した音質を維持することができる。
【００２４】
（変形形態１）
変形形態１の洋風水洗式便器では、図７（Ａ）に示すように、スピーカ７は、ベースプレート１１に立設されたスピーカ取付部１１ｅに固定部材１４を用いて取り付けられている。
【００２５】
すなわち、スピーカ取付部１１ｅに凹設された円状の嵌合溝１１ｆにスピーカ７のフランジ部７ａが嵌合されている。また、固定部材１４の中央に貫設された円状のスピーカ穴１４ａにスピーカ７が挿入され、突起１４ｂがベースプレート１１に凹設された固定穴１１ｇに挿入されている。さらに、ビス１５がネジ穴１４ｃに螺合され、固定部材１４がスピーカ取付部１１ｅに固定されている。こうして、図７（Ｂ）に示すように、スピーカ７がスピーカ取付部１１ｅに取り付けられている。なお、スピーカ取付部１１ｅは、ベースプレート１１の一部として、ベースプレート１１とともに一体成形されている。その他の構成は、実施形態と同様であり、この洋風水洗式便器によっても実施形態と同様の効果を得ることができる。
【００２６】
（変形形態２）
変形形態２の洋風水洗式便器では、図８（Ａ）に示すように、スピーカ７は、ベースプレート１１に立設されたスピーカ取付部１１ｈに４本のビス１６を用いて取り付けられている。
【００２７】
すなわち、スピーカ取付部１１ｈの中央に貫設された円状の配線穴１１ｉに合わせて、スピーカ７のフランジ部７ａがスピーカ取付部１１ｈに当接されている。また、４本のビス１６が各ネジ穴１１ｊに螺合され、図８（Ｂ）に示すように、スピーカ７がスピーカ取付部１１ｈに取り付けられている。なお、スピーカ取付部１１ｈは、ベースプレート１１の一部として、ベースプレート１１とともに一体成形されている。その他の構成は、実施形態と同様であり、この洋風水洗式便器によっても実施形態と同様の効果を得ることができる。
【００２８】
（変形形態３）
変形形態３の洋風水洗式便器では、図９（Ａ）に示すように、スピーカ取付部１１ｋの中央に貫設された円状の配線穴１１ｉの周りに２つのネジ穴１１ｊが設けられている。また、スピーカ７のフランジ部７ａには、ビス１６を通す２つのビス穴７ｂが開けられている。その他の構成及び取り付け方法等は変形形態１と同様であり、図９（Ｂ）に示すように、スピーカ７がスピーカ取付部１１ｋに取り付けられている。この洋風水洗式便器によっても実施形態と同様の効果を得ることができる。
【図面の簡単な説明】
【００２９】
【図１】実施形態及び変形形態１〜３の洋風水洗式便器の斜視図である。
【図２】実施形態及び変形形態１〜３の洋風水洗式便器の一部拡大図である。
【図３】実施形態の洋風水洗式便器に係り、スピーカの組付及び組付完成図である。
【図４】実施形態の洋風水洗式便器に係り、スピーカの組付後のＶ−Ｖ断面図である。
【図５】実施形態及び変形形態１〜３の洋風水洗式便器に係り、開閉蓋の閉鎖時におけるリモコンの正面図である。
【図６】実施形態及び変形形態１〜３の洋風水洗式便器に係り、開閉蓋の開放時におけるリモコンの正面図である。
【図７】変形形態１の洋風水洗式便器に係り、スピーカの組付及び組付完成図である。
【図８】変形形態２の洋風水洗式便器に係り、スピーカの組付及び組付完成図である。
【図９】変形形態３の洋風水洗式便器に係り、スピーカの組付及び組付完成図である。
【符号の説明】
【００３０】
１…洋風便器本体
４…洗浄タンク
５…タンクカバー
６…外部記憶装置
７…スピーカ
８…制御装置
９…局部洗浄装置
１０…リモコン
１０ａ…開閉蓋
【図１】
2006233755.tif 000003
【図２】
2006233755.tif 000004
【図３】
2006233755.tif 000005
【図４】
2006233755.tif 000006
【図５】
2006233755.tif 000007
【図６】
2006233755.tif 000008
【図７】
2006233755.tif 000009
【図８】
2006233755.tif 000010
【図９】
2006233755.tif 000011